(57)【要約】      （修正有）【課題】送風ファンを取り外した状態でも使用できる空調服兼用ウェアを提供する。【解決手段】本考案の一態様に係る空調服兼用ウェア１０は、送風ファンＸが着脱可能に配置される送風用開口１１を有する衣類本体１と、上記送風ファンが配置されていない状態で上記送風用開口を閉塞するように上記衣類本体に着脱可能に取り付けられる蓋体とを備える。【選択図】図３
0003232417.tif 000002
【実用新案登録請求の範囲】
【請求項１】
送風ファンが着脱可能に配置される送風用開口を有する衣類本体と、
上記送風ファンが配置されていない状態で上記送風用開口を閉塞するように上記衣類本体に着脱可能に取り付けられる蓋体と
を備える空調服兼用ウェア。
【請求項２】
上記送風用開口と重なり合って配置され、かつ上記送風ファンが取り付けられる取付用開口を有するシート材をさらに備えており、
上記シート材が上記衣類本体に着脱可能に設けられている請求項１に記載の空調服兼用ウェア。
【請求項３】
上記シート材が、上記取付用開口の周縁に補強部を有する請求項２に記載の空調服兼用ウェア。
【請求項４】
上記送風ファンが、上記送風用開口と上記取付用開口とを貫通して配置される請求項２又は請求項３に記載の空調服兼用ウェア。
【請求項５】
上記衣類本体に上記蓋体が取り付けられた状態で普段着として用いられる請求項１から請求項４のいずれか１項に記載の空調服兼用ウェア。
【考案の詳細な説明】
【技術分野】
【０００１】
本考案は、空調服兼用ウェアに関する。
【背景技術】
【０００２】
衣類本体に開口を設け、この開口に送風ファンを配置してなる空調ウェアが知られている（特許文献１参照）。
【先行技術文献】
【特許文献】
【０００３】
【特許文献１】特開２０２０−１２５５５０号公報
【考案の概要】
【考案が解決しようとする課題】
【０００４】
特許文献１には、エアコンを使用できない環境や、エアコンの効果が得られにくい環境で作業する際に用いられる空調ウェアが記載されている。特許文献１には、着用者が快適に作業を行うことができるように、上着本体に開口部を設け、この開口部に送風ファンを着脱可能に配置することが記載されている。
【０００５】
特許文献１に記載されているように、従来の空調ウェアは、作業用に特化して設計されたものである。従来の空調ウェアは、送風ファンを取り外した状態では開口部が塞がれていないため、外観や機能性等の観点から使用し難い。
【０００６】
本考案は、このような事情に鑑みてなされたものであり、送風ファンを取り外した状態でも使用できる空調服兼用ウェアを提供することを目的とする。
【課題を解決するための手段】
【０００７】
上記課題を解決するためになされた本考案の一態様に係る空調服兼用ウェアは、送風ファンが着脱可能に配置される送風用開口を有する衣類本体と、上記送風ファンが配置されていない状態で上記送風用開口を閉塞するように上記衣類本体に着脱可能に取り付けられる蓋体とを備える。
【考案の効果】
【０００８】
本考案の一態様に係る空調服兼用ウェアは、送風ファンを取り外した状態でも使用できる。
【図面の簡単な説明】
【０００９】
【図１】図１は、本考案の一実施形態に係る空調服兼用ウェアの衣類本体を示す模式図である。
【図２】図２は、図１の空調服兼用ウェアの蓋体を示す模式図である。
【図３】図３は、図１の衣類本体に送風ファンを取り付けた状態を示す模式図である。
【図４】図４は、図１の衣類本体に図２の蓋体を取り付けた状態を示す模式図である。
【図５】図５は、図１の空調服兼用ウェアとは異なる実施形態に係る空調服兼用ウェアの衣類本体を示す模式図である。
【図６】図６は、図５の空調服兼用ウェアの蓋体を示す模式図である。
【図７】図７は、図５の空調服兼用ウェアのシート材を示す模式図である。
【図８】図８は、図５の衣類本体に図７のシート材と送風ファンとを取り付けた状態を示す模式図である。
【図９】図９は、図５の衣類本体に図７のシート材と送風ファンとを取り付けた図８の変形例を示す模式図である。
【図１０】図１０は、図５の衣類本体に図６の蓋体を取り付けた状態を示す模式図である。
【考案を実施するための形態】
【００１０】
［本考案の実施形態の説明］
最初に本考案の実施態様を列記して説明する。
【００１１】
本考案の一態様に係る空調服兼用ウェアは、送風ファンが着脱可能に配置される送風用開口を有する衣類本体と、上記送風ファンが配置されていない状態で上記送風用開口を閉塞するように上記衣類本体に着脱可能に取り付けられる蓋体とを備える。
【００１２】
当該空調服兼用ウェアは、上記送風ファンが上記送風用開口に配置されていない状態で、上記送風用開口を上記蓋体によって閉塞することができる。そのため、当該空調服兼用ウェアは、上記送風ファンが上記送風用開口に配置されていない状態で、上記送風用開口に起因する外観や機能の低下を抑制することができる。従って、当該空調服兼用ウェアは、送風ファンを取り外した状態でも好適に使用できる。
【００１３】
当該空調服兼用ウェアは、上記送風用開口と重なり合って配置され、かつ上記送風ファンが取り付けられる取付用開口を有するシート材をさらに備えており、上記シート材が上記衣類本体に着脱可能に設けられているとよい。この構成によると、上記送風ファンが取り外された状態で上記衣類本体を空調服以外の衣服に転用しやすい。
【００１４】
上記シート材が、上記取付用開口の周縁に補強部を有するとよい。このように、上記シート材が、上記取付用開口の周縁に補強部を有することによって、上記送風ファンを上記取付用開口に容易かつ確実に取り付けやすい。
【００１５】
上記送風ファンが、上記送風用開口と上記取付用開口とを貫通して配置されるとよい。このように、上記送風ファンが、上記送風用開口と上記取付用開口とを貫通して配置されることによって、上記送風ファンを上記衣類本体に対して安定的に配置しやすい。
【００１６】
当該空調服兼用ウェアは、上記衣類本体に上記蓋体が取り付けられた状態で普段着として用いられるとよい。当該空調服兼用ウェアは、上記蓋体によって上記送風用開口を閉塞できるので、普段着として構成するのに適している。
【００１７】
［本考案の実施形態の詳細］
以下、適宜図面を参照しつつ、本考案の実施の形態を詳説する。
【００１８】
［第一実施形態］
＜空調服兼用ウェア＞
図１から図４の空調服兼用ウェア１０は、送風ファンＸが着脱可能に配置される送風用開口１１を有する衣類本体１と、送風ファンＸが配置されていない状態で送風用開口１１を閉塞するように衣類本体１に着脱可能に取り付けられる蓋体２とを備える。蓋体２は、衣類本体１の外面に取り付け可能に構成されている。
【００１９】
当該空調服兼用ウェア１０は、図３に示すように、送風ファンＸが送風用開口１１に配置されている状態（すなわち、送風ファンＸが送風用開口１１と重なり合う位置で固定されている状態）で、空調服として用いられる。また、当該空調服兼用ウェア１０は、図４に示すように、衣類本体１の送風用開口１１が蓋体２で閉塞されている状態で、空調機能を有しない衣服として用いられる。当該空調服兼用ウェア１０は、衣類本体１に蓋体２が取り付けられた状態で普段着として用いられることが好ましい。当該空調服兼用ウェア１０は、衣類本体１の外面に蓋体２を取り付けることで送風用開口１１の露出を防止することができるので、普段着として構成するのに適している。なお、従来の空調服は、作業用に特化して設計されており、衣類本体の内部に送風ファンから送られる空気を誘導するための送風用の管等が設けられることがある。このような構成によると、送風ファンを取り外したとしても、空調用に設けられた上記管等の各種部材が普段着としての使用の妨げとなり得る。これに対し、当該空調服兼用ウェア１０は、蓋体２を取り外した状態で、送風用開口１１が衣類本体１の内外に露出していてよく、この送風用開口１１に連通する管等は設けられていなくてよい。このような構成とすることで、当該空調服兼用ウェア１０は、普段着として用いやすい。
【００２０】
（衣類本体）
衣類本体１は、前身頃（不図示）と後身頃１ａとを有する。送風用開口１１は、前身頃及び後身頃１ａの一方又は両方の任意の部分に設けることができる。また、衣類本体１に設けられる送風用開口１１の個数は、特に限定されるものではない（図１では２個を例示している）。
【００２１】
送風用開口１１には、送風ファンＸが着脱可能に取り付けられる。すなわち、当該空調服兼用ウェア１０は、衣類本体１に送風ファンＸが直接的に取り付けられるよう構成されている。当該空調服兼用ウェア１０は、このように構成されることで、送風ファンＸによって着用者を容易かつ確実に空冷することができる。
【００２２】
送風ファンＸを送風用開口１１に取り付ける手段は特に限定されるものではない。例えば当該空調服兼用ウェア１０は、送風ファンＸのケーシングが送風用開口１１を貫通した状態で送風用開口１１に取り付けられてもよい。この際、送風ファンＸのケーシングで送風用開口１１の周縁部を内外方向から挟み込むことによって送風ファンＸを送風用開口１１に固定してもよい。
【００２３】
衣類本体１は、送風用開口１１を含む被着領域Ｒを有する。被着領域Ｒは、送風ファンＸが送風用開口１１から取り外された状態で、蓋体２によって被覆される領域である。被着領域Ｒには、蓋体２と着脱可能に接続される第１接続部１２が設けられている。第１接続部１２の具体的な構成としては、特に限定されるものではなく、面ファスナー、線ファスナー、点ファスナー等が挙げられる（図１では面ファスナーを例示している）。被着領域Ｒには、その外縁に沿って複数の第１接続部１２が配置されている。
【００２４】
衣類本体１は、蓋体２によって被着領域Ｒが被覆されることで、送風用開口１１の外部への露出が防止される。そのため、衣類本体１自体には、送風用開口１１の露出を防止するための被覆部材は設けられていなくてよい。例えば衣類本体１には、送風用開口１１を外側から被覆可能なカバー等は設けられていなくてよい。
【００２５】
（蓋体）
蓋体２は、第１接続部１２に着脱可能に接続される第２接続部２２を有する。第２接続部２２の配置及び具体的な構成は、第１接続部１２に対応して設定可能である。
【００２６】
蓋体２は、被着領域Ｒを被覆した状態で送風用開口１１の外部への露出を防止できればよく、その具体的な構成は特に限定されるものではない。例えば蓋体２は、衣類本体１と同一の素材からなるシートであってもよい。一方で、蓋体２は、送風用開口１１を隠蔽する機能に加えて、その他の機能を有する多機能部材として構成されていてもよい。図２の蓋体２は、送風用開口１１を隠蔽する機能に加えて、物品収容機能を有している。より詳しくは、図２の蓋体２は、物品を収容可能なポケット２ａを有している。蓋体２に多機能を持たせることで、蓋体２が衣類本体１に取り付けられている状態で、視認者に違和感を与え難い。すなわち、蓋体２が衣類本体１に取り付けられた状態で、衣類本体１と蓋体２との間には段差が生じるが、蓋体２がポケット２ａを有していることで、この段差による違和感を緩和することができる。
【００２７】
＜利点＞
当該空調服兼用ウェア１０は、送風ファンＸが送風用開口１１に配置されていない状態で、送風用開口１１を蓋体２によって隠蔽することができる。そのため、当該空調服兼用ウェア１０は、送風ファンＸが送風用開口１１に配置されていない状態で、送風用開口１１が露出することを防止できる。従って、当該空調服兼用ウェア１０は、送風ファンＸを取り外した状態でも好適に使用できる。
【００２８】
［第二実施形態］
＜空調服兼用ウェア＞
図５から図１０の空調服兼用ウェア３０は、送風ファンＸが着脱可能に配置される送風用開口４１を有する衣類本体３１と、送風ファンＸが配置されていない状態で送風用開口４１を閉塞するように衣類本体３１に着脱可能に取り付けられる蓋体３２とを備える。また、当該空調服兼用ウェア３０は、送風用開口４１と重なり合って配置され、かつ送風ファンＸが取り付けられる取付用開口４４を有するシート材３３をさらに備える。シート材３３は、衣類本体３１に着脱可能に設けられている。
【００２９】
当該空調服兼用ウェア３０は、図８及び図９に示すように、送風ファンＸが装着されたシート材３３が衣類本体３１に取り付けられている状態で、空調服として用いられる。また、当該空調服兼用ウェア３０は、図１０に示すように、衣類本体３１の送風用開口４１が蓋体３２で閉塞されている状態で、空調機能を有しない衣服として用いられる。蓋体３２は、衣類本体３１の外面に取り付け可能に構成されている。当該空調服兼用ウェア３０は、衣類本体３１に蓋体３２が取り付けられた状態で普段着として用いられることが好ましい。
【００３０】
（衣類本体）
衣類本体３１の具体的な構成は、特に限定されるものではなく、図１の衣類本体１と概略同様とすることができる。
【００３１】
衣類本体３１は、送風用開口４１を含む被着領域Ｒを有する。被着領域Ｒは、送風ファンＸが送風用開口４１に配置されていない状態で、蓋体３２によって被覆される領域である。被着領域Ｒには、蓋体３２と着脱可能に接続される第１接続部４２が設けられている。第１接続部４２の具体的な構成としては、特に限定されるものではなく、面ファスナー、線ファスナー、点ファスナー等が挙げられる（図５では点ファスナーを例示している）。被着領域Ｒには、複数の第１接続部４２が配置されている。
【００３２】
図８に示すように、複数の第１接続部４２のうち、少なくとも一部の第１接続部４２は、シート材３３との接続部を兼ねていてもよい。すなわち、当該空調服兼用ウェア３０は、第１接続部４２に蓋体３２を接続することで、蓋体３２を衣類本体３１に取り付けることができると共に、蓋体３２を衣類本体３１から取り外した状態で第１接続部４２にシート材３３を接続することで、シート材３３を衣類本体３１に取り付けることができるように構成されてもよい。当該空調服兼用ウェア３０は、第１接続部４２がシート材３３との接続部を兼ねていることで、蓋体３２及びシート材３３と、衣類本体３１との接続構造の簡素化を図り、取扱性を高めることができる。
【００３３】
一方、図９に示すように、衣類本体３１は、蓋体３２に被覆される側と反対側の面（本実施形態では衣類本体３１の内面）にシート材３３が取り付けられるように構成されていてもよい。この場合、衣類本体３１における蓋体３２が取り付けられる側と反対側の面には、シート材３３と着脱可能に接続される第４接続部（不図示）が設けられる。
【００３４】
（蓋体）
蓋体３２は、第１接続部４２に着脱可能に接続される第２接続部４３を有する。第２接続部４３の配置及び具体的な構成は、第１接続部４２に対応して設定可能である。
【００３５】
図６に示すように、蓋体３２は、物品収容部を有する本体３２ａと、本体３２ａに接続されているベルト３２ｂとを有する。本体３２ａとベルト３２ｂとは着脱可能に設けられていてもよい。蓋体３２は、それ自体独立して物品収容容器として使用可能であり、より詳しくはウエストポーチとして使用可能である。
【００３６】
（シート材）
図７に示すように、シート材３３は、送風ファンＸが取り付けられる取付用開口４４を有している。送風ファンＸは、取付用開口４４のみに取り付けられていてもよく、取付用開口４４と衣類本体３１の送風用開口４１とに同時に取り付けられるよう設けられていてもよい。送風ファンＸが取付用開口４４のみに取り付けられる場合、送風ファンＸは、取付用開口４４に着脱可能に取り付けられていてもよく、着脱不能に取り付けられていてもよい。送風ファンＸが取付用開口４４のみに取り付けられる場合、シート材３３を衣類本体３１に着脱することで、シート材３３と同時に送風ファンＸを衣類本体３１に対して着脱することができる。その結果、送風ファンＸの衣類本体３１に対する着脱性を高めることができる。
【００３７】
送風ファンＸが取付用開口４４と衣類本体３１の送風用開口４１とに同時に取り付けられる場合、送風ファンＸは、送風用開口４１と取付用開口４４とを貫通して配置されることが好ましい。この構成によると、送風ファンＸを衣類本体３１に対して安定的に配置しやすい。送風ファンＸの取付手段としては、図３の送風用開口１１に対する送風ファンＸの取付手段と同様とすることができる。
【００３８】
シート材３３は、取付用開口４１の周縁に補強部４６を有することが好ましい。補強部４６は、取付用開口４１の周縁の強度を高める。当該空調服兼用ウェア３０は、取付用開口４１の周縁に補強部４６を有することによって、送風ファンＸを取付用開口４１に容易かつ確実に取り付けやすい。
【００３９】
シート材３３は、第１接続部４２又は上記第４接続部に着脱可能に接続される第３接続部４５を有する。第３接続部４５の配置及び具体的な構成は、第１接続部４２又は上記第４接続部に対応して設定可能である。
【００４０】
＜利点＞
当該空調服兼用ウェア３０は、送風用開口４１と重なり合って配置され、かつ送風ファンＸが取り付けられる取付用開口４４を有するシート材３３を備えており、シート材３３が衣類本体３１に着脱可能に設けられているので、送風ファンＸが取り外された状態で衣類本体３１を空調服以外の衣服に転用しやすい。例えば当該空調服兼用ウェア３０は、シート材３３に補強部４６を設けるようにすることで、衣類本体３１には送風ファンＸを取り付けるための補強を行うことを要しない。そのため、衣類本体３１を空調服に特化した構成に設計しなくてよいので、衣類本体３１を他の衣服に転用しやすい。
【００４１】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４２】
上記実施形態では、送風用開口を隠蔽するように蓋体が衣類本体の外面を被覆する構成について説明した。但し、上記蓋体は、上記衣類本体の内面を被覆するように設けられていてもよい。
【００４３】
上記シート材は、送風ファンを適切に配置できる場合であれば、上記取付用開口の周縁に補強部を有していなくてもよい。
【産業上の利用可能性】
【００４４】
以上のように、本考案の一態様に係る空調服兼用ウェアは、送風ファンを取り外した状態でも使用できるので、空調服に加え、空調服以外の服としても好適に使用できる。
【符号の説明】
【００４５】
１、３１  衣類本体
１ａ  後身頃
２  蓋体
２ａ  ポケット
１０、３０  空調服兼用ウェア
１１  送風用開口
１２、４２  第１接続部
２２、４３  第２接続部
３２  蓋体
３２ａ  本体
３２ｂ  ベルト
３３  シート材
４１  送風用開口
４４  取付用開口
４５  第３接続部
４６  補強部
Ｒ  被着領域
Ｘ  送風ファン
【図１】
0003232417.tif 000003
【図２】
0003232417.tif 000004
【図３】
0003232417.tif 000005
【図４】
0003232417.tif 000006
【図５】
0003232417.tif 000007
【図６】
0003232417.tif 000008
【図７】
0003232417.tif 000009
【図８】
0003232417.tif 000010
【図９】
0003232417.tif 000011
【図１０】
0003232417.tif 000012